(57)【要約】【課題】語彙セットおよび照合処理の精密度を変更することができ、音声入力の入力内容の種類に応じて適切な語彙セットを選択して適切な精密度で音声認識を行うことができる車載用音声認識装置およびそれを用いた音声認識システムを提供する。【解決手段】この車載用音声認識装置１では、照合部１９ｂでの音声認識の照合処理に用いられる語彙セットおよび照合処理の精密度が、操作入力または音声入力による指示によって変更することができる。語彙セットを記録媒体２５あるいは無線通信回線を介して取り込むことができる。また、パラメータ算出部１９ａおよび照合部１９ｂによって認識された音声入力の入力内容に関する情報が、情報変換部１９ｃによって出力先の外部機器２３に応じた情報形式に変換されて出力される。【選択図】　　　　図１
2004037813.tif 000002
【特許請求の範囲】
【請求項１】
音声入力の入力内容の種類に応じて用意された複数の語彙セットを記憶する情報記憶手段と、
前記音声入力の前記入力内容に対して行う音声認識のための照合処理の精密度および前記照合処理に用いる前記語彙セットが変更可能であり、前記音声入力の前記入力内容に対して、前記語彙セットを指定するための第１の入力に基づいて決定された前記複数の語彙セットのうちの少なくともいずれか１つの語彙セットを用いて、前記精密度を指定するための第２の入力に基づいて決定された前記精密度で前記照合処理を行って音声認識を行う処理手段と、
を備えることを特徴とする車載用音声認識装置。
【請求項２】
前記車載用音声認識装置は、
無線通信回線を介して情報を取り込む第１の情報取込手段と、
前記第１の情報取込手段を介して前記語彙セットを取り込み、前記情報記憶手段の記憶内容に反映させる情報管理手段と、
をさらに備えることを特徴とする請求項１に記載の車載用音声認識装置。
【請求項３】
前記車載用音声認識装置は、
着脱自在に装填される記録媒体から情報を取り込む第２の情報取込手段と、
前記第２の情報取込手段を介して前記語彙セットを取り込み、前記情報記憶手段の記憶内容に反映させる情報管理手段と、
をさらに備えることを特徴とする請求項１に記載の車載用音声認識装置。
【請求項４】
前記車載用音声認識装置は、
前記処理手段によって認識された前記入力内容に関する情報を、出力先の外部機器に応じた情報形式に変換して前記外部機器に向けて出力する情報変換手段をさらに備えることを特徴とする請求項１ないし３のいずれかに記載の車載用音声認識装置。
【請求項５】
前記第１の入力および前記第２の入力は、音声入力および操作入力の少なくともいずれか一方により行われることを特徴とする請求項１ないし４のいずれかに記載の車載用音声認識装置。
【請求項６】
前記各語彙セットは、
その語彙セットが対応する前記音声入力の入力内容の種類に応じた語彙辞書情報、音韻モデル情報および言語モデル情報を備えていることを特徴とする請求項１ないし５のいずれかに記載の車載用音声認識装置。
【請求項７】
請求項２に記載の車載用音声認識装置を用いた音声認識システムであって、
請求項２に記載の車載用音声認識装置と、
前記語彙セットを作成して前記無線通信回線を介して前記車載用音声認識装置に供給するサービスセンタと、
を備えることを特徴とする音声認識システム。
【請求項８】
請求項３に記載の車載用音声認識装置を用いた音声認識システムであって、
請求項３に記載の車載用音声認識装置と、
前記語彙セットを作成して前記記録媒体に記録するサービスセンタと、
を備えることを特徴とする音声認識システム。
【発明の詳細な説明】
【０００１】
【発明の属する技術分野】
本発明は、車載用音声認識装置およびそれを用いた音声認識システムに関するものである。
【０００２】
【従来の技術】
従来の車載用音声認識装置としては、キーの形状や磁気分布によって個人情報が付与された複数のイグニッションキーを車両の各使用者に付与し、イグニッションスイッチ等へのイグニッションキーの差込時等にその個人情報を読み取り、音声認識に用いる認識用辞書等をその個人情報に応じて入れ替えるようにしたものがある。
【０００３】
【発明が解決しようとする課題】
しかしながら、上述の従来の車載用音声認識装置では、使用者に応じて認識用辞書の入れ替えが行われるのみで、音声認識のための照合処理の精密度までは変更されるようにはなっていない。このため、必要以上に精密な照合処理が行われたり、不十分な精度で照合処理が行われてしまう場合がある。また、イグニッションキーを複数個用意する必要もある。
【０００４】
そこで、前記問題点に鑑み、本発明の第１の目的は、語彙セットおよび照合処理の精密度を変更することができ、音声入力の入力内容の種類に応じて適切な語彙セットを選択して適切な精密度で音声認識を行うことができる車載用音声認識装置およびそれを用いた音声認識システムを提供することである。
【０００５】
本発明の第２の目的は、語彙セットおよび照合処理の精密度を、イグニッションキー等の特別なハードウエアを用いることなく容易に変更することができる車載用音声認識装置およびそれを用いた音声認識システムを提供することである。
【０００６】
【課題を解決するための手段】
前記目的を達成するための技術的手段は、音声入力の入力内容の種類に応じて用意された複数の語彙セットを記憶する情報記憶手段と、前記音声入力の前記入力内容に対して行う音声認識のための照合処理の精密度および前記照合処理に用いる前記語彙セットが変更可能であり、前記音声入力の前記入力内容に対して、前記語彙セットを指定するための第１の入力に基づいて決定された前記複数の語彙セットのうちの少なくともいずれか１つの語彙セットを用いて、前記精密度を指定するための第２の入力に基づいて決定された前記精密度で前記照合処理を行って音声認識を行う処理手段と、を備えることを特徴とする車載用音声認識装置である。
【０００７】
好ましくは、前記車載用音声認識装置は、無線通信回線を介して情報を取り込む第１の情報取込手段と、前記第１の情報取込手段を介して前記語彙セットを取り込み、前記情報記憶手段の記憶内容に反映させる情報管理手段と、をさらに備えるのがよい。
【０００８】
また、好ましくは、前記車載用音声認識装置は、着脱自在に装填される記録媒体から情報を取り込む第２の情報取込手段と、前記第２の情報取込手段を介して前記語彙セットを取り込み、前記情報記憶手段の記憶内容に反映させる情報管理手段と、をさらに備えるのがよい。
【０００９】
さらに、好ましくは、前記車載用音声認識装置は、前記処理手段によって認識された前記入力内容に関する情報を、出力先の外部機器に応じた情報形式に変換して前記外部機器に向けて出力する情報変換手段をさらに備えるのがよい。
【００１０】
また、好ましくは、前記第１の入力および前記第２の入力は、音声入力および操作入力の少なくともいずれか一方により行われるのがよい。
【００１１】
さらに、好ましくは、前記各語彙セットは、その語彙セットが対応する前記音声入力の入力内容の種類に応じた語彙辞書情報、音韻モデル情報および言語モデル情報を備えているのがよい。
【００１２】
また、前記目的を達成するための技術的手段は、請求項２に記載の車載用音声認識装置を用いた音声認識システムであって、請求項２に記載の車載用音声認識装置と、前記語彙セットを作成して前記無線通信回線を介して前記車載用音声認識装置に供給するサービスセンタと、を備えることを特徴とする。
【００１３】
さらに、前記目的を達成するための技術的手段は、請求項３に記載の車載用音声認識装置を用いた音声認識システムであって、請求項３に記載の車載用音声認識装置と、前記語彙セットを作成して前記記録媒体に記録するサービスセンタと、を備えることを特徴とする。
【００１４】
【発明の実施の形態】
図１は、本発明の一実施形態に係る音声認識システムの構成を示すブロック図である。この音声認識システムは、図１に示すように、車両に搭載される車載用音声認識装置１と、サービスセンタ３とを備えている。車載用音声認識装置１は、操作部１１と、マイク１３と、情報取込部（第２の情報取込手段）１５と、無線通信装置１７と、処理部１９と、記憶装置（情報記憶手段）２１と、ゲートウエイ機器２２とを備えている。
【００１５】
操作部１１は、例えば１または複数の操作ボタンを備えて構成されており、この車載用音声認識装置１への操作入力を受け付ける。マイク１３は、この車載用音声認識装置１を操作制御するための音声入力、およびこの車載用音声認識装置１に接続された外部機器２３を操作制御するための音声人力を受け付けるものであり、マイク１３を介して入力された音声信号は、アナログ／ディジタル（Ａ／Ｄ）変換器２４を介して処理部２４に与えられる。外部機器２３としては、例えばオーディオ機器２３ａ、エアコン２３ｂ、ナビゲーションシステム２３ｃ、窓およびルーフの開閉を行う窓・ルーフ開閉装置２３ｄおよび無線通信装置２３ｅが接続されている。無線通信装置２３ｅとしては、携帯電話機やブルートゥース通信を行う通信装置が接続される。車載用音声認識装置１と各外部機器２３とは、車内ＬＡＮ（例えば、ＣＡＮ、ＭＯＳＴ、ＩＥ、ＩＥＥＥ−１３９４ｂ等）によって接続されている。
【００１６】
情報取込部１５は、処理部１９の制御により、情報取込部１５に対して着脱自在な記録媒体２５に記録された情報を読み出して処理部１９に与える。記録媒体２５は、例えば光ディスク、光磁気ディスクおよび半導体メモリ等が考えられ、これに対応して情報取込部１５には、これらの記録媒体２５に対応したものが用いられる。
【００１７】
無線通信装置１７は、処理部１９の制御により、無線通信回線によりサービスセンタ３との間で情報送受を行う。無線通信装置１７としては、携帯電話機、ＰＨＳ、ブルートゥース通信が可能な通信装置、およびＩＥＥＥ−８０２．１１の規格に対応した通信装置等が考えられる。
【００１８】
記憶装置２１は、記憶内容の書き替えが可能なハードディスク装置等の大容量の記憶装置によって構成されている。この記憶装置２１には、図２に示すように、音声入力の入力内容の種類に応じて用意された複数の語彙セットＳ１〜Ｓ４が記憶されている。
【００１９】
語彙セットＳ１は、この音声認識装置１および外部機器２３のうちの情報機器以外の機器２３（オーディオ機器２３ａ、エアコン２３ｂ等）を操作制御するための音声入力の音声認識に用いられるものであり、例えば数十語の単語を認識するための情報が含まれている。語彙セットＳ２は、自然発話により入力される音声入力の入力内容を認識するために用いられるものであり、例えば数千から数万単語を認識するための情報が含まれている。語彙セットＳ３は、外部機器２３のうちの情報機器（ナビゲーションシステム２３ｃ、無線通信装置２３ｅ等）を操作制御するための音声入力の音声認識に用いられるものであり、例えば数百単語を認識するための情報が含まれている。語彙セットＳ４は、語彙セットＳ２に新語や流行語などを認識するための情報が追加されたものである。
【００２０】
これらの各語彙セットＳ１〜Ｓ４には、その語彙セットＳ１〜Ｓ４が対応する音声入力の入力内容の種類に応じた語彙辞書情報Ｄ１、音韻モデル情報Ｄ２および言語モデル情報Ｄ３がそれぞれ含まれている。
【００２１】
処理部１９は、プログラムによって動作するＣＰＵ等によって構成されており、その機能要素として、パラメータ算出部１９ａ、照合部（処理手段）１９ｂ、情報変換部（情報変換手段）１９ｃおよび情報管理部（情報管理手段）１９ｄを備えている。
【００２２】
パラメータ算出部１９ａは、マイク１３からＡ／Ｄ変換器２４を介して音声入力の音声信号が与えられると、その入力の特徴パラメータを算出して照合部１９ｂに与える。
【００２３】
照合部１９ｂは、与えられた音声入力の特徴パラメータに基づいて、記憶装置２１に記憶された複数の語彙セットＳ１〜Ｓ４のうちの少なくともいずれか１つの語彙セットＳ１〜Ｓ４を用いて照合処理を行い、音声入力の入力内容を認識する。照合部１９ｂが照合処理に用いる語彙セットＳ１〜Ｓ４は、変更可能となっており、照合部１９ｂは、使用する語彙セットＳ１〜Ｓ４を指定するためのユーザによる第１の入力に基づいて使用する語彙セットＳ１〜Ｓ４を決定する。
【００２４】
また、照合部１９ｂが行う照合処理の精密度も変更可能となっており、照合部１９ｂは、精密度を指定するためのユーザによる第２の入力に基づいて照合処理の精密度を決定する。
【００２５】
第１および第２の入力は、操作部１１の操作入力であるボタン操作（例えばボタン押し下げ操作）によって入力するようにしてもよく、あるいはマイク１３を介した音声入力によって入力するようにしてもよく、あるいは操作入力と音声入力の両方によって入力するようにしてもよい。
【００２６】
ここで、照合部１９ｂは、公知技術である１または複数回の照合処理（マルチパス構成）を行って音声認識を行っており、照合処理の回数を変更することにより照合処理の精密度を変更する。すなわち、照合部１９ｂにより複数回の照合処理が行われる際には、１段目（１回目）の照合処理では、粗い探索モデルが適用されて語彙セットＳ１〜Ｓ４の語彙辞書情報に含まれる単語のうちからいくつかの候補単語が選出される。続く２段目（２回目）の照合処理では、より精密な探索モデルが適用されて、１段目の照合処理によって選出された複数の候補単語に対する絞り込みが行われ、以後、３段目、４段目と進むに従ってさらに精密な探索モデルが適用されて候補単語に対する絞り込みが行われ、最も確からしい候補単語が最終的な認識単語として決定される。なお、１回のみの照合処理が行われる場合には、１回の照合処理で選出された候補単語のうちから最も確からしい単語が認識単語として決定される。照合部１９ｂによって認識された単語は、テキスト情報として出力される。
【００２７】
照合部１９ｂの認識結果は、情報管理部１９ｄ等に与えられてこの車載用音声認識装置１の操作制御等に用いられるとともに、外部機器２３の操作制御のために必要に応じて情報変換部１９ｃに与えられる。
【００２８】
前記第１の入力および前記第２の入力として入力される音声入力には、特定の単語（語彙）を単独で発話して入力する方式（特定語彙の発話）と、特定の意味のフレーズを自然発話により入力する方式（連想語の発話）とがある。特定語彙の発話による入力例としては、以下のものが考えられる。例えば、語彙セットＳ１を選択させるため音声入力としては「機器操作」、「機器セット」、「パネルセット」等が考えられ、語彙セットＳ３を選択させるための音声入力としては「情報機器操作」、「通信操作」「通信セット」等が考えられ、語彙セットＳ２を選択させるための音声入力としては「自然発話」、「連続発話」等が考えられる。また、１回の照合処理のみを行わせる（１段目のパスを使わせる）ための音声入力としては、「高速応答」、「簡易認識」等が考えられ、２回以上の照合処理を行わせる（マルチパスを使わせる）ための音声入力としては、「正確に」、「詳細認識」等が考えられる。
【００２９】
連想語彙の発話による入力例としては下記のものが考えられる。例えば、語彙セットＳ１を選択させるため音声入力としては「エアコンの操作をしたい」等が考えられ、語彙セットＳ３を選択させるための音声入力としては「電話を使う」、「ネットにつなぐ」等が考えられ、語彙セットＳ２を選択させるための音声入力としては「メールを打ちたい」等が考えられる。なお、これらの自然発話による入力の音声認識には、語彙セットＳ２が用いられる。
【００３０】
ここで、前記第１の入力および前記第２の入力として入力される音声入力に対する音声認識は、その音声入力が行われた時点に設定されている語彙セットＳ１〜Ｓ４を用いて行うようにしてもよく、あるいは語彙セットＳ１〜Ｓ４とは別に専用の語彙セットを容易しておき、その語彙セットを用いて行うようにしてもよい。
【００３１】
また、前記第１の入力および前記第２の入力がボタン操作により入力される場合の具体例としては、下記のものが考えられる。例えば、単一の操作ボタンにより行う場合には、その操作ボタンを操作（押圧操作等）する度に選択される語彙セットＳ１〜Ｓ４あるいは照合処理の回数（精密度）が循環的に変更される。また、複数の操作ボタンを操作して入力を行う場合には、各操作ボタンにそれぞれ語彙セットＳ１〜Ｓ４あるいは照合処理の回数を対応付けておき、所望とする語彙セットＳ１〜Ｓ４あるいは照合処理の回数に対応する操作ボタンを操作（押圧操作等）することにより、その操作された操作ボタンに対応する語彙セットＳ１〜Ｓ４あるいは照合処理の回数が選択される。
【００３２】
情報変換部１９ｃは、照合部１９ｂからテキスト情報として与えられた認識結果を、出力先の外部機器２３に応じた情報形式（符号形式）に変換してゲートウエイ機器２２を介して外部機器２３に向けて出力する。外部機器２３により変換されて出力される情報の情報形式としては、例えばＡＭＩ−Ｃ（Ａｕｔｏｍｏｔｉｖｅ　Ｍｕｌｔｉｍｅｄｉａ　Ｉｎｔｅｒｆａｃｅ　Ｃｏｌｌａｂｏｒａｔｉｏｎ）規格に準拠したものが用いられる。
【００３３】
例えば、オーディオ機器２３ａのＣＤチェンジャーに１枚目のＣＤの２曲目を選曲（再生）させたい場合において、音声入力により「ＣＤ１枚目の２曲目」、「１枚目の２曲目」、「最初のＣＤの２番」等の入力が行われてパラメータ算出部１９ａおよび照合部１９ｂによる音声認識により入力の意味内容が認識されると、その認識結果に基づいて、情報変換部１９ｃがＣＤ１枚目の２曲目を選曲（再生）せよという所定の情報形式の命令（例えば、符号「ＣＤ１−２Ｐ」）をオーディオ機器２３ａに出力する。
【００３４】
情報管理部１９ｄは、ユーザから入力される取込指令に応じて、情報取込部１５あるいは無線通信装置１７を介して記録媒体２５からあるいは無線通信回線を介したサービスセンタ３から語彙セット情報を取り込み、取り込んだ情報に基づいて、記憶装置２１に記憶されている語彙セットＳ１〜Ｓ４の内容を更新（修正も含む）、追加あるいは交換する機能を有する。情報の取り込みを、記録媒体２５から行うか、あるいは無線通信回線から行うかは、ユーザによって指定可能であり、取り込む情報の内容もユーザ指定可能である。このため、音声入力による操作制御の対象となる外部機器２３の内容や、音声入力により入力したい入力内容の種類等に応じて、最適な語彙セットＳ１〜Ｓ４を記憶装置２１内に用意しておくことができる。
【００３５】
取込指令の入力方法としては、操作部１１を介した操作入力と、マイク１３を介した音声入力とがある。取込指令としてマイク１３に入力された音声信号は、Ａ／Ｄ変換器２４を介してパラメータ算出部１９ａに与えられ、このパラメータ算出部１９ａと照合部１９ｂとによって音声認識され、認識情報として情報管理部１９ｄに与えられる。
【００３６】
また、情報管理部１９ｄは、操作部１１を介した操作入力、あるいはマイク１３を介して入力されて音声入力のパラメータ算出部１９ａおよび照合部１９ｂによる認識結果に基づいて、電子メールを作成し、その電子メールを指定された送信先に無線通信装置１７を介して送信する機能も有する。
【００３７】
サービスセンタ３は、無線通信部３１、処理部３３および記憶装置３５を備えている。無線通信部３１は、処理部３３の制御により、無線通信回線により車載用音声認識１との間で情報送受を行う。記憶装置３５は、記憶内容の書き替えが可能なハードディスク装置等の大容量の記憶装置であり、各車載用音声認識装置１に供給すべき語彙セット情報を記憶している。
【００３８】
処理部３３は、無線通信回線および無線通信部３１を介して各車載用音声認識装置１から送られてくる送信要求に応じて、その送信要求に対応する語彙セット情報を記憶装置３５から読み出して無線通信部３１および無線通信回線を介して対応する車載用音声認識装置１に送信する機能を有する。また、処理部３３は、操作者からの操作入力等による入力に応じて、その入力に対応する語彙セット情報を記憶装置３５から読み出して図示しない情報書込装置を介して記録媒体２５に書き込む機能も有する。
【００３９】
車載用音声認識装置１のユーザからサービスセンタ３への語彙セット情報の提供の要求の伝達形態としては、車載用音声認識装置１に指示して無線通信回線により送信要求を送らせる方法、車載用音声認識装置１の情報管理部１９ｄの電子メール作成機能を用いて作成した電子メールを無線通信回線を介して車載用音声認識装置１からサービスセンタ３に送信して要求を行う方法、電話での申し込みにより要求を伝える方法、コンビニエンスストア等の店での要求の受け付けによる方法、およびコンビニエンスストア等の店内に設置された端末装置を介した申し込みにより要求を伝える方法などが考えられる。
【００４０】
このように構成される車載用音声認識装置１では、ユーザが設定変更を行わない標準モードにおいては、照合部１９ｂは語彙セットＳ１，Ｓ３を用いて照合処理を行うように設定されており、その際の照合処理の精密度は、最低レベル（１回の照合処理のみ）に設定されている。これは、通常の状態では自然発話の入力の必要性が比較的低く、また音声による入力内容も比較的限られているため、処理負担の軽減および処理の迅速性等の観点より、そのように設定されている。
【００４１】
これに対し、電子メールの作成等のために、自然発話により音声入力を行う際には、認識の信頼性を向上させるため、操作部１１あるいはマイク１３を介した操作入力あるいは音声入力を行うことによって、照合部１９ｂが語彙セットＳ２，Ｓ４を使って照合処理を行うように設定変更するとともに、その照合処理の精密度もより高いレベル（例えば照合処理を２回行う）に設定変更するのが好ましい。これによって、処理負担および処理時間は増加するが、自然発話によって入力した内容を精度良く認識させることができる。その他、設定変更により、照合処理に用いる語彙セットＳ１〜Ｓ４と照合処理の精密度の種々の組み合わせが選択可能となっている。例えば、語彙セットＳ１のみを選択して最低レベルあるいは最高レベル（例えば２回以上の照合処理を行うレベル）の精密度で照合処理を行わせたり、語彙セットＳ２，Ｓ４を選択している状態において、精密度を最低レベルに設定すること等が可能である。
【００４２】
また、車両購入後に、オプション装備としてオーディオ機器２３ａ、あるいは携帯電話機やブルートゥース装置等の無線通信装置２３ｅを設置した際には、それらの後付けの外部機器２３を音声により操作制御するために必要な語彙セット情報を、記録媒体２５あるいは無線通信回線を介して無線通信装置１７より取り込んで記憶装置２１内に記憶内容に反映させることができるようになっている。さらに、記憶装置２１内の記憶内容の年次更新等によって、語彙セットＳ４に含まれる流行語および新語等に対応する内容が追加されるようになっている。
【００４３】
以上のように、本実施形態によれば、音声認識の照合処理に用いられる語彙セットおよび照合処理の精密度を第１および第２の入力によって変更することができるため、音声入力の入力内容の種類に応じて、適切な語彙セットを選択して適切な精密度で音声認識を行うことができる。
【００４４】
また、語彙セットを記録媒体２５あるいは無線通信回線を介して取り込めるため、記憶装置２１に記憶されている語彙セットＳ１〜Ｓ４の更新および追加等を容易に行うことができる。
【００４５】
さらに、パラメータ算出部１９ａおよび照合部１９ｂによって認識された音声入力の入力内容に関する情報が、情報変換部１９ｃによって出力先の外部機器２３に応じた情報形式に変換されて出力されるようになっているため、外部機器２３側で情報形式の変換を行う必要がなく、音声入力により外部機器２３の操作制御を容易に行うことができる。
【００４６】
また、照合処理に用いられる語彙セットＳ１〜Ｓ４および照合処理の精密度を指定するための第１の入力および第２の入力が、音声入力および操作入力の少なくともいずれか一方により行われるため、語彙セットＳ１〜Ｓ４および照合処理の精密度を、イグニッションキー等の特別なハードウエアを用いることなく容易に変更することができる。
【００４７】
さらに、サービスセンタ３から車載用音声認識装置１に無線通信回線を介してあるいは記録媒体２５を用いて語彙セット情報を容易に供給できる。
【００４８】
【発明の効果】
請求項１ないし６に記載の発明によれば、照合処理に使用する語彙セットおよび照合処理の精密度を第１および第２の入力によって変更することができるため、音声入力の入力内容の種類に応じて、適切な語彙セットを選択して適切な精密度で音声認識を行うことができる。
【００４９】
請求項２に記載の発明によれば、語彙セットを無線通信回線を介して取り込めるため、情報記憶手段に記憶されている語彙セットの更新および追加等を容易に行うことができる。
【００５０】
請求項３に記載の発明によれば、語彙セットを着脱式の記録媒体から取り込めるため、情報記憶手段に記憶されている語彙セットの更新および追加等を容易に行うことができる。
【００５１】
請求項４に記載の発明によれば、処理手段によって認識された音声入力の入力内容に関する情報が、情報変換手段によって外部機器に応じた情報形式に変換されて出力されるようになっているため、外部機器側で情報形式の変換を行う必要がなく、音声入力により外部機器の操作制御を容易に行うことができる。
【００５２】
請求項５に記載の発明によれば、語彙セットおよび照合処理の精密度を指定するための第１の入力および第２の入力が、音声入力および操作入力の少なくともいずれか一方により行われるため、語彙セットおよび照合処理の精密度を、イグニッションキー等の特別なハードウエアを用いることなく容易に変更することができる。
【００５３】
請求項７に記載の発明によれば、サービスセンタから車載用音声認識装置に無線通信回線を介して語彙セットを容易に供給できる。
【００５４】
請求項８に記載の発明によれば、サービスセンタから車載用音声認識装置に記録媒体を用いて語彙セットを容易に供給できる。
【図面の簡単な説明】
【図１】本発明の一実施形態に係る音声認識システムの構成を示すブロック図である。
【図２】車載用音声認識装置の情報記憶部に記憶されている語彙セットの内容を示す図である。
【符号の説明】
１　車載用音声認識装置
３　サービスセンタ
１１　操作部
１３　マイク
１５　情報取込部
１７　無線通信装置
１９　処理部
２１　記憶装置
２３　外部機器
【図１】
2004037813.tif 000003
【図２】
2004037813.tif 000004